【事件の表示】
　特許第２９９７９６８号「カメラ用測距装置」の請求項１に係る特許に対する特許異議の申立てについて、次のとおり決定する。
【結　論】
　訂正を認める。
　特許第２９９７９６８号の請求項１に係る特許を維持する。
【理　由】
１．手続の経緯
　特許第２９９７９６８号の請求項１に係る発明は、平成４年３月３１日に特許出願され、平成１１年１１月５日にその特許権の設定登録がなされ、その後、異議申立人富岡康之（以下、申立人という）から特許異議の申立てがなされ、取消しの理由が通知され、その指定期間である平成１３年２月２３日に訂正請求がなされたものである。
２．訂正の適否についての判断
（１）訂正の内容
　ア．訂正事項ａ
　特許請求の範囲の請求項１の記載について、「測距用発光素子から被写体へ投光された光の反射光を受光する受光素子と、前記受光素子で生成された第１、第２の受光電流を入力され、差動演算結果を距離信号として出力する差動演算手段と、前記差動演算手段に入力された受光電流に加算され、前記受光電流を段階的に補正する段階的補正電流生成手段と、前記段階的補正電流生成手段で生成される段階的補正電流の一つを指定する補正電流指定手段と、前記補正電流指定手段を作動させる補正データを記憶する補正データ記憶手段と、前記補正データ記憶手段から読出された補正データにより前記補正電流指定手段を制御し、かつ、前記差動演算手段から出力される補正された距離信号によりレンズの合焦制御をおこなう制御手段とを備えたことを特徴とするカメラ用測距装置」とあるのを、「測距用発光素子から被写体へ投光された光の反射光を受光する受光素子と、前記受光素子で生成された第１、第２の受光電流を入力され、差動演算結果を距離信号として出力する差動演算手段と、前記差動演算手段に入力された一方のみの受光電流に加算され、前記受光電流を段階的に補正する段階的補正電流生成手段と、前記段階的補正電流生成手段で生成される段階的補正電流の一つを指定する補正電流指定手段と、前記補正電流指定手段を作動させる補正データを記憶する補正データ記憶手段と、前記補正データ記憶手段から読出された補正データにより前記補正電流指定手段を制御し、かつ、前記差動演算手段から出力される補正された距離信号によりレンズの合焦制御をおこなう制御手段とを備えたことを特徴とするカメラ用測距装置。」と訂正する。
　イ．訂正事項ｂ
　明細書の段落【０００８】の記載について、「本発明は、測距用発光素子から被写体へ投光された光の反射光を受光する受光素子と、受光素子で生成された第１、第２の受光電流を入力され、差動演算結果を距離信号として出力する差動演算回路と、差動演算回路に入力された受光電流に加算され、受光電流を段階的に補正する段階的補正電流生成回路と、段階的補正電流生成回路で生成される段階的補正電流の一つを指定する補正電流指定回路と、補正電流指定回路を作動させる補正データを記憶する補正データ記憶回路と、補正データ記憶手段から読出された補正データにより前記補正電流指定手段を制御し、かつ、差動演算回路から出力される補正された距離信号によりレンズの合焦制御をおこなう制御回路とを備えている。」とあるのを、「本発明は、測距用発光素子から被写体へ投光された光の反射光を受光する受光素子と、受光素子で生成された第１、第２の受光電流を入力され、差動演算結果を距離信号として出力する差動演算回路と、差動演算回路に入力された一方のみの受光電流に加算され、受光電流を段階的に補正する段階的補正電流生成回路と、段階的補正電流生成回路で生成される段階的補正電流の一つを指定する補正電流指定回路と、補正電流指定回路を作動させる補正データを記憶する補正データ記憶回路と、補正データ記憶手段から読出された補正データにより前記補正電流指定手段を制御し、かつ、差動演算回路から出力される補正された距離信号によりレンズの合焦制御をおこなう制御回路とを備えている。」と訂正する。
（２）訂正の目的の適否、新規事項の有無及び拡張・変更の存否
　上記訂正事項ａは、発明を特定する事項である「前記差動演算手段に入力された受光電流」を、「前記差動演算手段に入力された一方のみの受光電流」に限定するものであるから、特許請求の範囲の減縮を目的とした訂正に該当し、また、上記訂正事項ｂは、上記訂正事項ａと整合を図るものであるから、明りょうでない記載の釈明を目的とした訂正に該当する。しかも、「前記差動演算手段に入力された一方の受光電流」については、出願当初の明細書及び図面に、「ＡＦ信号出力用差動増幅器８」（「差動演算手段」に対応）に入力する「差動電流Ｉ３、Ｉ４」（「受光電流」に対応）の一方の「差動電流Ｉ３」のみに、「クランプ電流」（「補正電流」に対応）を加算する構成が記載されているから、新規事項の追加に該当せず、また、実質的に特許請求の範囲を拡張又は変更するものではない。
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
３．特許異議申立てについての判断
（１）申立ての理由の概要
　申立人は、請求項１に係る発明は、
（Ａ）甲第１号証（特願平３−３０９０７３号（特開平５−１４１９６３号））に記載された発明と実質的に同一であるから、特許法第２９条の２の規定に違反してなされたものである、
（Ｂ）甲第２号証（特開平２−１９５２０３号公報）に記載された発明と実質的に同一であるから、特許法第２９条第１項第３号の規定に該当する、
（Ｃ）甲第２号証に記載された発明から当業者が容易に発明し得るものであり、特許法第２９条第２項の規定に違反してなされたものである、
（Ｄ）甲第２号証に記載された発明に、甲第３号証（特開平１−２２４６１７号公報）、甲４号証（特開平１−２２４６１８号公報）、甲第５号証（特開昭６０−１８９７２０号公報）、甲第６号証（特開平１−１１８１０８号公報）に記載された発明を組み合わせることにより、当業者が容易に発明し得るものであり、特許法第２９条第２項の規定に違反してなされたものである、
から、特許法第１１３条第１項第２号に該当し、取り消すべきであると主張している。
（２）本件の請求項１に係る発明
　上記２．で示したように上記訂正が認められるから、本件の請求項１に係る発明（以下、本件発明という）は、上記訂正請求に係る訂正明細書の特許請求の範囲の請求項１に記載された事項により特定されるとおりのものである。
　なお、本件の請求項１の「第１、第２の受光電流」は、本件の請求項１の「第１、第２の受光電流を入力され、差動演算結果を距離信号として出力する差動演算手段」、「前記差動演算手段に入力された一方のみの受光電流に加算され、前記受光電流を段階的に補正する段階的補正電流生成手段」との記載、および、発明の詳細な説明の記載を参酌すれば、発明の詳細な説明に記載された「ＰＳＤ３」から「受光信号処理回路７」に出力される「距離電流Ｉ１、Ｉ２」ではなく、該「距離電流Ｉ１、Ｉ２」を「受光信号処理回路７」で処理した「差動電流Ｉ３、Ｉ４」に対応する構成を示すものと認める。
（３）引用刊行物記載の発明
　当審が通知した取消しの理由に引用された刊行物１（特願平３−３０９０７３号（特開平５−１４１９６３号）：申立人の提出した甲第１号証）には、
・「この発明は測距装置に関し、特にカメラ等の測距を必要とする装置に用いられる距離検出に適用される測距装置に関するものである。」（【０００１】）
・「この測距装置は、図２に示されるように、測距対象物に光パルスを投光する投光回路部２９と、測距対象物からの反射光をＰＳＤ３０で受光して信号パルス光電流成分を検出し、増幅する光電流検出回路部３１Ａ及び３１Ｂと、バイアス電流に重畳された光電流からの被写体の距離情報を求める演算出力回路部３２と、この演算出力回路部３２の出力をＡ／Ｄ変換するカウント回路部３３と、上記各回路部に制御信号を送出する制御回路部３４と、定常光電流引抜き回路部３５Ａ及び３５Ｂで構成されている。（【００３６】）
・「図２に於いて、投光回路部２９のＩＲＥＤ３６は、トランジスタ３７、抵抗３８、３９及びオペアンプ４０で構成されている定電流駆動回路により、定電流ドライブされる。・・したがって、ＩＲＥＤ３６から後述する図７に示されるパルス波形で投射される赤外光のオン、オフ制御は、制御回路部３４の端子Ｔ６の出力信号（図７参照）により行われる。」（【００３８】）
・「光電流検出回路部３１Ａは、オペアンプ４３Ａ、トランジスタ４４Ａから成るプリアンプ回路部と、トランジスタ４５Ａ、４６Ａから成るカレントミラー回路部とで構成されている。ＰＳＤ３０のアノード３０Ａから得られる信号パルス光電流Ｉ１は、プリアンプ回路部を構成するオペアンプ４３Ａに供給される。」（【００３９】）
・「定常光電流引抜き回路部３５Ａは、図３乃至図５に示されるように、電流重み付け回路部と、各重みに対応して各重みをオン、オフするフリップフロップと、コンパレータと、このコンパレータ出力に基いて上記フリップフロップの出力をオン、オフするデジタル回路部から成っている。図３の重み付け回路部について説明する。・・そして、トランジスタ１１９のコレクタ電流は、この重み付け回路６４の最小単位の電流、５／２３μＡの半分、すなわち５／２４μＡの電流を次段、この場合重み付け回路６５に出力する。次段の重み付け回路６５以下（６６、６７）も、また同様の回路構成をとっており、このように構成することで、数１３の関係式で表される重みの電流を引抜くことができる。【数１３】５μＡ／２ｎ（ｎ＝０から１５までの整数）上記制御回路３４は、投光前に、端子Ｔ１よりクロック信号を出力する。このとき、ＰＳＤ３０のアノード３０Ａから、光電流検出回路３１Ａを介して増幅された外光による定常電流ＩＰ０・βＮが、圧縮ダイオード５２に流れ込む。・・この電位はバッファ回路ＢＵＦ２を介して、定常光電流引抜き回路部３５Ａに伝えられ、この定常光電流引抜き回路部３５Ａ内のコンパレータにて、基準電圧Ｖｒｅｆ２と比較される。・・先ず、制御回路部３４は、端子Ｔ１よりリセットパルスを出力し、定常光電流引抜き回路部３５Ａ内のフリップフロップＦＦ、・・をクリアする。・・次に、端子Ｔ２からクロックが１つ入力されると、・・この出力は、同様に制御回路部３４の端子Ｔ２により出力されるクロックによって、フリップフロップＦＦ１５にラッチ記憶される。その結果、数２２の関係式に表される電流がＧＮＤへ排出される。・・以下、同様にして数２３の関係式で表される電流が、ＧＮＤへ排出される。・・このようにして、定常光成分は、数２４の関係式で表される最小単位まで排出することができる。・・こうして、投光時にはＰＳＤ３０のアノード３０Ａより得られる光電流から、背景光による光電流を除いたパルス光成分は、・・演算出力部３２の圧縮ダイオード５２に信号パルス光電流βＮＩ１として注入される。また、ＰＳＤ３０の他のアノード３０Ｂから得られた光電流Ｉ２も、・・信号パルスβＮＩ２として演算出力回路部３２に供給される。この演算出力回路部３２は、・・測距演算出力を得るための対数伸長回路を構成している。差動増幅器を構成しているトランジスタ４７、４８の各ベースは、上記圧縮ダイオード５１と５２の各アノードに、バッファ回路ＢＵＦ１、ＢＵＦ２を介して接続され、・・接続されている。・・よって、演算出力回路部３２の出力であるトランジスタ５０のコレクタ電流Ｉ１’は、・・数２８の関係式の如くなる。・・上記演算出力回路部３２の出力電流Ｉ１’は、図８に示されるように、被写体距離ａの逆数に応じて∞から至近までの測距範囲を測距することになる。１／ａに対する測距出力の傾き補正、シフト補正等は、補正値をＥ２ＰＲＯＭに書き込んでおいて、それによって各々の補正演算を行う。」（【００４０】〜【００７８】）
という事項が記載されている。
　これらの記載事項によれば、刊行物１には、
「ＩＲＥＤから被写体へ投光された光の反射光を受光するＰＳＤと、前記ＰＳＤで生成された信号パルス光電流Ｉ１、Ｉ２が光電流検出回路で増幅された信号パルス光電流βＮＩ１、βＮＩ２を入力され、差動演算結果を被写体距離として出力する演算出力回路部と、前記光電流検出回路部に入力された信号パルス光電流Ｉ１、Ｉ２に加算され、前記信号パルス光電流Ｉ１、Ｉ２を段階的に補正する重み付け回路部と、前記重み付け回路部で生成される定常光電流の１つを記憶して指定するフリップフロップＦＦ、ＦＦ０〜ＦＦ１５、Ｆ０〜Ｆ１５と、前記フリップフロップＦＦ、ＦＦ０〜ＦＦ１５、Ｆ０〜Ｆ１５を制御する制御回路部とを備えたカメラ用測距装置。」（以下、引用発明１という）が記載されていると認められる。
（４）引用刊行物についての対比・判断
　引用発明の「ＩＲＥＤ」、「ＰＳＤ」、「信号パルス光電流βＮＩ１、βＮＩ２」、「被写体距離」、「演算出力回路部」が、それぞれ、本件発明の「測距用発光素子」、「受光素子」、「第１、第２の受光電流」、「距離信号」、「差動演算手段」に相当するから、両者は、「測距用発光素子から被写体へ投光された光の反射光を受光する受光素子と、第１、第２の受光電流を入力され、差動演算結果を距離信号として出力する差動演算手段とを備えたカメラ用測距装置。」において一致し、
（ａ）本件発明では、受光素子で生成された第１、第２の受光電流を差動演算手段に入力するのに対して、引用発明１では、ＰＳＤで生成された信号パルス光電流Ｉ１、Ｉ２が光電流検出回路で増幅された信号パルス光電流βＮＩ１、βＮＩ２を演算出力回路部に入力する点、
（ｂ）本件発明では、前記差動演算手段に入力された一方のみの受光電流に加算され、前記受光電流を段階的に補正する段階的補正電流生成手段と、前記段階的補正電流生成手段で生成される段階的補正電流の一つを指定する補正電流指定手段と、前記補正電流指定手段を作動させる補正データを記憶する補正データ記憶手段と、前記補正データ記憶手段から読出された補正データにより前記補正電流指定手段を制御し、かつ、前記差動演算手段から出力される補正された距離信号によりレンズの合焦制御をおこなう制御手段とを備えたのに対して、
　引用発明１では、前記光電流検出回路部に入力された信号パルス光電流Ｉ１、Ｉ２に加算され、前記信号パルス光電流Ｉ１、Ｉ２を段階的に補正する重み付け回路部と、前記重み付け回路部で生成される定常光電流の１つを記憶して指定するフリップフロップＦＦ、ＦＦ０〜ＦＦ１５、Ｆ０〜Ｆ１５と、前記フリップフロップＦＦ、ＦＦ０〜ＦＦ１５、Ｆ０〜Ｆ１５を制御する制御手段とを備えた点、
で、相違する。
　（ａ）について、本件発明でも、「第１、第２の受光電流」は、実施例において、対応する「差動電流Ｉ３、Ｉ４」が「受光信号処理回路７」で増幅された信号であり、このように、受光素子からの信号を増幅する回路を介して差動演算手段に入力する構成は周知であり、本件発明でこの周知の構成を限定していない点で、引用発明１との間に格別な差異は認められない。
　（ｂ）について、引用発明１の、「前記光電流検出回路部に入力された信号パルス光電流Ｉ１、Ｉ２に加算され、前記信号パルス光電流Ｉ１、Ｉ２を段階的に補正する重み付け回路部と、前記重み付け回路部で生成される定常光電流の１つを記憶して指定するフリップフロップＦＦ、ＦＦ０〜ＦＦ１５、Ｆ０〜Ｆ１５と、前記フリップフロップＦＦ、ＦＦ０〜ＦＦ１５、Ｆ０〜Ｆ１５を制御する制御手段」という構成は、本件発明の構成ではないが、本件の発明の実施例として記載された「受光信号処理回路７」の「定常光ホールドコンデンサＣ１、Ｃ２」、「定常カット用トランジスタＱ６、Ｑ７」、「定常光カット用オペアンプＯＰ４、ＯＰ５」などからなる外光成分を除去する構成に対応するものであり、本件発明の（「受光素子」である「ＰＳＤ３」から出力される「距離電流Ｉ１、Ｉ２」を「受光信号処理回路７」で処理された「差動電流Ｉ３、Ｉ４」に対応する）「第１、第２の受光電流」の一方のみに補正電流を加算する構成とは全く異なるものである。
　したがって、本件発明と引用発明１は、実質的に同一であるとは認められない。
（５）申立人の申立ての理由について
　申立人の理由（Ａ）は、上記当審が通知した取消しの理由と同様であるから、他の理由（Ｂ）、（Ｃ）、（Ｄ）について検討する。
理由（Ｂ）について
　甲第２号証には、
・「本発明は、カメラなどの測距を必要とする装置に用いられる距離検出装置に関するものであり、特に半導体光位置検出器（ＰＳＤ）を備えた距離検出装置に関するものである。」（公報第２頁左上欄第３〜６行）
・「ＰＳＤをを備えた距離検出器としては、第５図及び第６図に示されるように、測距対象である被写体２にパルス光を投射するＬＥＤなどの光源１と、被写体２による光源１からのパルス光の反射光スポットが結像される箇所に設けられ・・第１及び第２の電流出力を得るＰＳＤ３と、・・第１及び第２の電流出力の変動分の差をとって距離信号を得る差分検出回路６を備えたものがある。」（公報第２頁左上欄第８行〜同右上欄第６行）
・「第１図は一実施例における検出回路を表わす。検出回路は、第６図に示されるように、第１検出回路４と第２検出回路５の２個が設けられているが、いずれも同じ構成をしているので一方だけを示す。２０は第１のトランジスタであるＰＮＰトランジスタであり、ＰＳＤ３からの電流信号がエミッタに供給される。２１は演算増幅器であり、第１のトランジスタ２０のエミッタが反転入力端に接続され、第１のトランジスタ２０のベースが出力端に接続されている。２２は第２のトランジスタであるＮＰＮトランジスタであり、コレクタが第１のトランジスタ２０のコレクタに接続されている。２３は第３のトランジスタであるＮＰＮトランジスタであり、そのベースは第２のトランジスタ２２のコレクタに接続されている。２４は電流検出回路であり、第３のトランジスタ２３のコレクタ電流を検出し、差分検出回路６に出力電圧ＶＯＵＴを与える。２５は電流検出回路２４の出力と基準電圧Ｖｒ２との大小比較を行うウインドウ・コンパレータ、２６はウインドウ・コンパレータ２５の出力に従ってＤ／Ａ変換２７のデジタル設定を行なうアップ／ダウン・カウンタ、２７はＤ／Ａ変換器であり、Ｄ／Ａ変換器２７の出力端は第２のトランジスタ２２のベースに接続されており、アップ／ダウン・カウンタ２６により指示された電圧を出力する。・・アップ／ダウン・カウンタ２６はクロック（ＣＬＫ）を常に入力しており、ウインドウ・コンパレータ２５からのアップ信号、ダウン信号及びサンプル／ホールド信号（Ｓ／Ｈ）によって制御される。」（公報第３頁右上欄第１１行〜同右下欄第１１行）
・「次に、本実施例の動作について説明する。パルス発光前にはアップ／ダウン・カウンタ２６のＳ／Ｈ信号は第３図に示されるようにＳとなっており、アップ／ダウン・カウンタ２６が動作している。ＰＳＤ３は受けた光（外光のみ）を電流として出力し、その電流はトランジスタ２２のコレクタとトランジスタ２３のベースに流れ込む。初期状態では、Ｄ／Ａ変換器２７の出力電圧によってトランジスタ２２のコレクタ電流が決まり、それ以上の電流はトランジスタ２３のベースに流れ込む。・・次に、外光によるＶＯＵＴが基準電圧Ｖｒ２に対してあるレベルだけ電位差をもつと、ウインドウ・コンパレータ２５がアップ又はダウンの信号を出力し、アップ／ダウン・カウンタ２６を動作させそのロジック出力がＤ／Ａ変換器２７を動作させる。Ｄ／Ａ変換器２７の出力によってトランジスタ２２のコレクタ電流が変化し、ウインドウ・コンパレータ２５が動作しなくなるまで変化し続ける。・・この動作が何回か繰り返され、トランジスタ２３に流れ込む電流が０に近いある値になる。・・その後、アップ／ダウン・カウンタ２６の信号Ｓ／ＨをＨにしてアップ／ダウン・カウンタ２６の出力をホールド（動かないように）し、それとともに光源を発光させる。・・ＰＳＤ３の残る１つの電流出力も他方の検出回路によって同じ動作をし、・・となるので、差分検出回路６によってこの差を取り出して測距信号とすると、・・また、ΔＩｌと距離ｌの間には、（１），（２）式の関係があることから、・・と得られる。」（公報第４頁右上欄第１０行〜第５頁左下欄第１５行）
という事項が記載されている。
　これらの記載事項によれば、甲第２号証には、
「光源から被写体へ投射された光の反射光を受光するＰＳＤと、前記ＰＳＤで生成された第１、第２の電流出力を演算増幅器により増幅し、さらに電流検出回路により電圧に変換した出力を入力され、差動演算結果を測距信号として出力する差分検出回路と、前記演算増幅器の電流出力に加算され、前記演算増幅器の電流出力を段階的に補正するトランジスタ２２と、前記トランジスタ２２で生成されるコレクタ電流Ｉｃ２２の１つを指定して記憶するＤ／Ａ変換器及びアップ／ダウン・カウンタと、前記Ｄ／Ａ変換器及びアップ／ダウン・カウンタを制御する制御手段とを備えたカメラ用測距装置。」（以下、引用発明２という）が記載されていると認められる。
　ここで、引用発明２の「光源」、「ＰＳＤ」、「電圧に変換した出力」、「測距信号」、「差分検出回路」が、それぞれ、本件発明の「測距用発光素子」、「受光素子」、「第１、第２の受光電流」、「距離信号」、「差動演算手段」に相当するから、両者は、「測距用発光素子から被写体へ投光された光の反射光を受光する受光素子と、差動演算結果を距離信号として出力する差動演算手段とを備えたカメラ用測距装置。」において一致し、
（ａ）本件発明では、受光素子で生成された第１、第２の受光電流を差動演算手段に入力するのに対して、引用発明２では、ＰＳＤで生成された第１、第２の電流出力を演算増幅器により増幅し、さらに電流検出回路により電圧に変換した出力を差分検出回路に入力する点、
（ｂ）本件発明では、前記差動演算手段に入力された受光電流に加算され、前記受光電流を段階的に補正する段階的補正電流生成手段と、前記段階的補正電流生成手段で生成される段階的補正電流の一つを指定する補正電流指定手段と、前記補正電流指定手段を作動させる補正データを記憶する補正データ記憶手段と、前記補正データ記憶手段から読出された補正データにより前記補正電流指定手段を制御し、かつ、前記差動演算手段から出力される補正された距離信号によりレンズの合焦制御をおこなう制御手段とを備えたのに対して、
　引用発明２では、前記演算増幅器の電流出力に加算され、前記演算増幅器の電流出力を段階的に補正するトランジスタ２２と、前記トランジスタ２２で生成されるコレクタ電流Ｉｃ２２の１つを指定して記憶するＤ／Ａ変換器及びアップ／ダウン・カウンタと、前記Ｄ／Ａ変換器及びアップ／ダウン・カウンタを制御する制御手段とを備えた点、
で、相違する。
　（ａ）について、本件発明でも、「第１、第２の受光電流」は、実施例において、対応する「差動電流Ｉ３、Ｉ４」が「受光信号処理回路７」で増幅された信号であり、このように、受光素子からの信号を増幅する回路を介して差動演算手段に入力する構成は周知であり、本件発明でこの周知の構成を限定していない点で、引用発明１との間に格別な差異は認められない。また、信号として、電流を用いるか、電圧を用いるかは、単に選択的な設計事項であり、電流信号を電圧信号に変換することも必要に応じて適宜なし得ることである。
　（ｂ）について、引用発明１の、「前記演算増幅器の電流出力に加算され、前記演算増幅器の電流出力を段階的に補正するトランジスタ２２と、前記トランジスタ２２で生成されるコレクタ電流Ｉｃ２２の１つを指定して記憶するＤ／Ａ変換器及びアップ／ダウン・カウンタと、前記Ｄ／Ａ変換器及びアップ／ダウン・カウンタを制御する制御手段」という構成は、本件発明の構成ではないが、本件の発明の実施例として記載された「受光信号処理回路７」の「定常光ホールドコンデンサＣ１、Ｃ２」、「定常カット用トランジスタＱ６、Ｑ７」、「定常光カット用オペアンプＯＰ４、ＯＰ５」などからなる外光成分を除去する構成に対応するものであり、本件発明の（「受光素子」である「ＰＳＤ３」から出力される「距離電流Ｉ１、Ｉ２」を受光信号処理回路７で処理された「差動電流Ｉ３、Ｉ４」に対応する）「第１、第２の受光電流」の一方のみに補正電流を加算する構成とは全く異なるものである。
　したがって、本件発明と引用発明２は、実質的に同一であるとは認められない。
理由（Ｃ）について
　上記理由（Ｂ）について、述べたとおり、甲第２号証には、本件発明の「前記差動演算手段に入力された受光電流に加算され、前記受光電流を段階的に補正する段階的補正電流生成手段と、前記段階的補正電流生成手段で生成される段階的補正電流の一つを指定する補正電流指定手段と、前記補正電流指定手段を作動させる補正データを記憶する補正データ記憶手段と、前記補正データ記憶手段から読出された補正データにより前記補正電流指定手段を制御し、かつ、前記差動演算手段から出力される補正された距離信号によりレンズの合焦制御をおこなう制御手段」が記載されておらず、また、示唆もされていないから、本件発明が引用発明２から当業者が容易に発明し得たとは認められない。
理由（Ｄ）について
　甲第３号証の第８〜１１頁及び第８図には、ＩＲＥＤから投射された光の測距対象からの反射光を受光するＰＳＤからの第１の光電流Ｉ１と第２の光電流Ｉ２を光電流検出回路部２２により増幅及び背景光除去された電流を差動増幅器に入力する構成において、前記差動増幅器に入力する電流にバイアス電流ＩＢ１、ＩＢ２を加算し、このバイアス電流のうちの１つのＩＢ１を可変として、差動増幅器の出力を調整する構成が示されている。この甲第３号証に記載された構成と引用発明２では、被写体からの反射光を受光するＰＳＤからの２つの光電流を増幅及び背景光除去した電流を差動増幅器に入力するという構成を前提とすることで一致するから、甲第３号証に記載された構成を引用発明に採用することは、当業者が容易になし得ることである。しかし、この引用発明２と甲第３号証に記載された発明から導き出せる発明と本件発明を対比すると、前者はバイアス電流を可変抵抗により調整する構成であるのに対して、後者は差動増幅器に入力される電流に加算する補正電流が段階的補正電流であり、補正データ記憶手段から読出された補正データにより補正電流指定手段を制御して１つの段階的補正電流を指定する構成である点で、差異を有する。そして、この差動増幅器に入力される電流に加算する補正電流が段階的補正電流であり、補正データ記憶手段から読出された補正データにより補正電流指定手段を制御して１つの段階的補正電流を指定する構成により、本件発明は、クランプレベルを自由に選択し、かつ、ＩＣ外のクランプ電流設定用抵抗を削減できる、マルチビームの場合ビーム毎にクランプレベルを設定し直すことができるという効果を奏し得るものである。
　以上の他、申立人は、甲第４、５、６号証を提出しているが、甲第４号証は甲第３号証と同じ構成を、甲第５号証は測距装置において無限遠判定レベルを可変とした構成を、甲第６号証は甲第３号証と類似の構成を、それぞれ示しているのみで、上記本件発明の差動増幅器に入力される電流に加算する補正電流が段階的補正電流であり、補正データ記憶手段から読出された補正データにより補正電流指定手段を制御して１つの段階的補正電流を指定する構成を示すものではない。
　したがって、引用発明２に、甲第３〜６号証に記載された発明をどのように組み合わせても、本件発明を容易に発明し得るとは認められない。
４．むすび
　以上のとおりであるから、申立人の理由及び証拠によっては、本件発明についての特許を取り消すことができない。
　また、他に、本件発明についての特許を取り消すべき理由を発見しない。
　よって結論のとおり決定する。
【異議決定日】
平成１３年３月１５日（２００１．３．１５）
【訂正の要旨】
訂正の要旨
（１）訂正事項ａ
　特許第２９９７９６８号明細書中の特許請求の範囲の請求項１の記載について、「測距用発光素子から被写体へ投光された光の反射光を受光する受光素子と、前記受光素子で生成された第１、第２の受光電流を入力され、差動演算結果を距離信号として出力する差動演算手段と、前記差動演算手段に入力された受光電流に加算され、前記受光電流を段階的に補正する段階的補正電流生成手段と、前記段階的補正電流生成手段で生成される段階的補正電流の一つを指定する補正電流指定手段と、前記補正電流指定手段を作動させる補正データを記憶する補正データ記憶手段と、前記補正データ記憶手段から読出された補正データにより前記補正電流指定手段を制御し、かつ、前記差動演算手段から出力される補正された距離信号によりレンズの合焦制御をおこなう制御手段とを備えたことを特徴とするカメラ用測距装置」とあるのを、特許請求の範囲の減縮を目的として、「測距用発光素子から被写体へ投光された光の反射光を受光する受光素子と、前記受光素子で生成された第１、第２の受光電流を入力され、差動演算結果を距離信号として出力する差動演算手段と、前記差動演算手段に入力された一方のみの受光電流に加算され、前記受光電流を段階的に補正する段階的補正電流生成手段と、前記段階的補正電流生成手段で生成される段階的補正電流の一つを指定する補正電流指定手段と、前記補正電流指定手段を作動させる補正データを記憶する補正データ記憶手段と、前記補正データ記憶手段から読出された補正データにより前記補正電流指定手段を制御し、かつ、前記差動演算手段から出力される補正された距離信号によりレンズの合焦制御をおこなう制御手段とを備えたことを特徴とするカメラ用測距装置。」と訂正する。
（２）訂正事項ｂ
　特許第２９９７９６８号明細書中の段落【０００８】の記載について、「本発明は、測距用発光素子から被写体へ投光された光の反射光を受光する受光素子と、受光素子で生成された第１、第２の受光電流を入力され、差動演算結果を距離信号として出力する差動演算回路と、差動演算回路に入力された受光電流に加算され、受光電流を段階的に補正する段階的補正電流生成回路と、段階的補正電流生成回路で生成される段階的補正電流の一つを指定する補正電流指定回路と、補正電流指定回路を作動させる補正データを記憶する補正データ記憶回路と、補正データ記憶手段から読出された補正データにより前記補正電流指定手段を制御し、かつ、差動演算回路から出力される補正された距離信号によりレンズの合焦制御をおこなう制御回路とを備えている。」とあるのを、明りょうでない記載の釈明を目的として、「本発明は、測距用発光素子から被写体へ投光された光の反射光を受光する受光素子と、受光素子で生成された第１、第２の受光電流を入力され、差動演算結果を距離信号として出力する差動演算回路と、差動演算回路に入力された一方のみの受光電流に加算され、受光電流を段階的に補正する段階的補正電流生成回路と、段階的補正電流生成回路で生成される段階的補正電流の一つを指定する補正電流指定回路と、補正電流指定回路を作動させる補正データを記憶する補正データ記憶回路と、補正データ記憶手段から読出された補正データにより前記補正電流指定手段を制御し、かつ、差動演算回路から出力される補正された距離信号によりレンズの合焦制御をおこなう制御回路とを備えている。」と訂正する。
（５４）【発明の名称】
カメラ用測距装置
（５７）【特許請求の範囲】
　【請求項１】　測距用発光素子から被写体へ投光された光の反射光を受光する受光素子と、前記受光素子で生成された第１、第２の受光電流を入力され、差動演算結果を距離信号として出力する差動演算手段と、前記差動演算手段に入力された
一方のみの
【発明の詳細な説明】
　【０００１】
　【産業上の利用分野】
　この発明は、カメラ用測距装置に係り、特に受光素子で生成された第１、第２の受光電流が入力され、差動演算結果を距離信号として出力する差動演算手段を備えたカメラ用測距装置に関する。
　【０００２】
　【従来の技術及び発明が解決しようとする課題】
　従来のカメラ用測距装置は図１に示すように、自動焦点用ＩＣ６（以下ＡＦＩＣという）、位置検出素子３（以下ＰＳＤという）、赤外線発光ダイオード１（以下ＩＲＥＤという）を駆動する発光ダイオード駆動回路２、発光ダイオード駆動回路２を制御するマイクロプロセッサ−２０（以下ＣＰＵという）、ＣＰＵ２０から制御され鏡胴１９の撮影レンズ１９ａを合焦作動するレンズ駆動回路１８で構成され、ＩＲＥＤ１から投光レンズ１ａを介して被写体ＳＵＢへ投光された光は、被写体ＳＵＢで反射し、受光レンズ３ａを介してＰＳＤ３で受光される。ＰＳＤ３に反射光が入射されると、ＡＦＩＣ６のＡＦ信号出力端子Ｔ３からＣＰＵ２０へ距離信号ＶＬを送出する。ＣＰＵ２０はこの距離信号ＶＬにもとづき鏡胴１９の撮影レンズ１９ａを合焦作動する。
　【０００３】
　ＡＦＩＣ６は受光信号処理回路７、ＡＦ信号出力用差動増幅器８、クランプレベル設定回路３９（本願ではクランプレベル設定回路９）で構成され、図４に示すように受光信号処理回路７は距離電流用オペアンプＯＰ２、ＯＰ３でＰＳＤ３から出力される距離電流Ｉ１、Ｉ２を増幅する。距離電流用オペアンプＯＰ２、ＯＰ３で増幅された距離電流Ｉ１、Ｉ２は圧縮ダイオードＤ１、Ｄ２の作用で差動電流Ｉ３、Ｉ４となりＡＦ信号出力用差動増幅器８に設けられたトランジスタＱ９、Ｑ８のそれぞれのべースへ送出される。トランジスタＱ９のコレクタは抵抗８を介して電源＋ＶＥに接続され、トランジスタＱ９のコレクタと抵抗８の接続点からＡＦＩＣ６のＡＦ信号出力端子Ｔ３を経由して距離信号ＶＬをＣＰＵ２０へ送出する。ＡＦＩＣ６には一端が基準電位点に接続された定常光ホールドコンデンサＣ１、Ｃ２が外付けされ、定常光ホールドコンデンサＣ１、Ｃ２の他端は定常光カット用トランジスタＱ６、Ｑ７のそれぞれのベースに接続され、コレクタは距離電流用オペアンプＯＰ２、ＯＰ３の入力側と接続される。また、エミッタには一端が基準電位点に接続された抵抗Ｒ６、Ｒ７の他端を接続する。更に、定常光カット用オペアンプＯＰ４、ＯＰ５の出力側は受光信号処理回路制御端子Ｔ４に制御側が接続された定常光カツト用スイッチＳＷ１、ＳＷ２を介して定常光カット用トランジスタＱ６、Ｑ７のそれぞれのベースに接続される。定常光カツト用オペアンプＯＰ４、ＯＰ５の非反転入力端子となる（＋）側はアノードが電源＋ＶＥに接続された圧縮ダイオードＤ１、Ｄ２のカソードと共に距離電流用オペアンプＯＰ２、ＯＰ３の出力側と接続する。なお、定常光カツト用オペアンプＯＰ４、ＯＰ５の（−）側には第１基準電圧ＶＲＥＦ１が印加される。
　【０００４】
　クランプレベル設定回路３９にはオペアンプＯＰ１とクランプ電流出力トランジスタＱ５及びクランプ電流設定用抵抗Ｒ１１、Ｒ１２が設けられ、オペアンプＯＰ１の（＋）側は一端が基準電位点に接続されたクランプ電流設定用抵抗Ｒ１２の他端を接続する。また、クランプ電流設定用抵抗Ｒ１１の一端には第２基準電圧ＶＲＥＦ２が接続され、他端はオペアンプＯＰ１の（＋）側と接続される。更に、クランプ電流出力トランジスタＱ５のコレクタは基準電位点と、ベースはオペアンプＯＰ１の出力側と接続され、エミッタはオペアンプＯＰ１の（−）側と接続されると共にＡＦ信号出力用差動増幅器８に設けられたトランジスタＱ９のベースに接続される。
　【０００５】
　一般にＰＳＤ３はＩＲＥＤ１で発光される発光波長の信号のみを受光することが望ましい。このため、ＩＲＥＤ１で発光される発光波長以外をカツトするよう、例えば樹脂等で形成された光学フィルタを設け、外光成分を除去する。しかし、外光成分にはＩＲＥＤ１と同じ波長の成分も含まれているので、ＰＳＤ３からはＩＲＥＤ１の発光による距離電流Ｉ１、Ｉ２のほか、外光成分によるノイズ電流が出力される。そこで、ＩＲＥＤ１の発光タイミングをＣＰＵ２０で制御し、この外光成分によるノイズ電流を除去するようになつている。つまり、ＣＰＵ２０が受光信号処理回路制御端子Ｔ４を介して、定常光カツト用スイッチＳＷ１、ＳＷ２を閉成した侭に制御していると、定常光カット用トランジスタＱ６、Ｑ７のそれぞれのベースは定常光カット用トランジスタＱ６、Ｑ７によりベースバイアスされるので距離電流Ｉ１、Ｉ２以外の外光成分によるノイズ電流は圧縮ダイオードＤ１、Ｄ２及び第１基準電圧ＶＲＥＦ１で定められたクリップレベルでクリップされる。ＩＲＥＤ１が発光されると、定常光カット用スイッチＳＷ１、ＳＷ２が開成され、定常光カット用トランジスタＱ６、Ｑ７のベースは定常光ホールドコンデンサＣ１、Ｃ２の電位に固定される。したがって、ＩＲＥＤ１の発光による距離電流Ｉ１、Ｉ２のみが距離電流用オペアンプＯＰ２、ＯＰ３で増幅され、圧縮ダイオードＤ１、Ｄ２に流しこまれる。このあとで、圧縮ダイオードＤ１、Ｄ２による差動電流Ｉ３、Ｉ４がＡＦ信号出力用差動増幅器８に設けられたトランジスタＱ９、Ｑ８のそれぞれのべースへ印加され、ＡＦＩＣ６のＡＦ信号出力端子Ｔ３を経由して距離信号ＶＬとしてＣＰＵ２０へ送出される。この、距離信号ＶＬを調整するには、クランプレベル設定回路３９のクランプ電流設定用抵抗Ｒ１１、Ｒ１２の抵抗値を変更する。クランプ電流設定用抵抗Ｒ１１、Ｒ１２の抵抗値を変更すると、オペアンプＯＰ１とクランプ電流出力トランジスタＱ５によりＡＦ信号出力用差動増幅器８に設けられたトランジスタＱ９のベース電流が調整される。
　【０００６】
　上記構成のカメラ用測距装置ではクランプ電流設定用抵抗Ｒ１１、Ｒ１２をＩＣ内に組込むと変更したい場合、変更経費が増加し、かつ、変更工程に係わる時間が必要である等の難点がある。また、クランプ電流設定用抵抗Ｒ１１、Ｒ１２をＩＣ外に外付け抵抗として設けると、外付け部品の増加はできるだけ避けたいため、クランプレベルを自由に選択できない難点がある。
　【０００７】
　【目的】
　この発明はこのような従来のカメラ用測距装置の、難点を解消するためになされたもので、補正データを記憶する補正データ記憶回路を設けることにより、クランプレベルを自由に選択し、かつ、ＩＣ外のクランプ電流設定用抵抗を削減できるカメラ用測距装置を提供することを目的とする。
　【０００８】
　【課題を解決するための手段】
　本発明は、測距用発光素子から被写体へ投光された光の反射光を受光する受光素子と、受光素子で生成された第１、第２の受光電流が入力され、差動演算結果を距離信号として出力する差動演算回路と、差動演算回路に入力された
一方のみの
　【０００９】
　【作用】
　受光素子で測距用発光素子から被写体へ投光された光の反射光を受光する。また、差動演算回路に受光素子で生成された第１、第２の受光電流を入力する。この、距離信号の補正は補正データ記憶回路から再生された補正データでおこない、制御回路で差動演算回路から出力される補正された距離信号によりレンズの合焦制御をおこなう。
　【００１０】
　【実施例】
　以下、本発明のカメラ用測距装置の一実施例を図面を参照して説明する。
　【００１１】
　本発明のカメラ用測距装置は図１に示すように、ＡＦＩＣ６、ＰＳＤ３、ＩＲＥＤ１、発光ダイオード駆動回路２、ＣＰＵ２０、レンズ駆動回路１８で構成され、ＡＦＩＣ６は受光信号処理回路７、ＡＦ信号出力用差動増幅器８、クランプレベル設定回路９、２ビットクランプレベル指定回路２１、クランプレベル記憶回路２２で構成される。なお、受光信号処理回路７及びＡＦ信号出力用差動増幅器８は従来と同じ回路であるから図示および説明を省略する。
　【００１２】
　図２に示すようにＡＦＩＣ６の受光信号処理回路７から送出される差動電流Ｉ３、Ｉ４はＡＦ信号出力用差動増幅器８に設けられたトランジスタＱ９、Ｑ８のそれぞれのべースへ送出される。
　【００１３】
　クランプレベル設定回路９は、オペアンプＯＰ１、クランプ電流出力トランジスタＱ５、クランプ用トランジスタＱ１〜Ｑ４、インバータ１０ａ、１０ｂで構成され、クランプ用トランジスタＱ１〜Ｑ４のエミッタは基準電位点に、コレクタは抵抗Ｒ１〜Ｒ４を介してオペアンプＯＰ１の（＋）測と接続される。また、クランプ用トランジスタＱ１、Ｑ３のベースはインバータ１０ａ、１０ｂの出力側と接続され、Ｑ２、Ｑ４のベースはインバータ１０ａ、１０ｂの入力側と接続されている。更に、一端が第２基準電圧ＶＲＥＦ２に接続された抵抗Ｒ５の他端はオペアンプＯＰ１の（＋）側と接続される。つぎに、インバータ１０ａ、１０ｂの入力側はそれぞれ２ビットクランプレベル指定端子Ｔ１、Ｔ２を介して２ビットクランプレベル指定回路２１と接続される。また、Ｄフリップフロップ回路等で構成された２ビットクランプレベル指定回路２１の入力側はＣＰＵ２０の制御出力側と接続される。クランプレベル記憶回路２２から再生された補正データでＣＰＵ２０は２ビットクランプレベル指定回路２１を制御し、２ビットクランプレベル指定回路２１は制御に応じてクランプ用トランジスタＱ１〜Ｑ４のうちの２つをオンにする。抵抗値は、第２基準電圧ＶＲＥＦ２をＲ５とＲ１〜Ｒ４の内オンした２つの抵抗で分圧することにより、クランプ電流出力トランジスタＱ５に流す電流が、例えば０．１ｎＡ〜３ｎＡになるように選択する。
　【００１４】
　次に上記構成のカメラ用測距装置での動作を説明する。図３に示すＡＦＩＣ６のＡＦ信号出力端子Ｔ３から出力される距離信号ＶＬは、被写体ＳＵＢまでの距離が５ｍまでは▲１▼のように直線性がよい特性である。距離が５ｍ〜８ｍになると▲１▼の特性はクランプレベルが低い場合、▲２▼の様に直線性が悪くなり、ばらつきにもよるが逆転現象が起こり、５ｍより近い出力となることがある。ここで▲２▼〜▲５▼の点線部分は、後述のとおり、繰り返しや個体差によるばらつきを表す。▲３▼▲４▼▲５▼はクランプレベルを変化させた場合の特性を示すもので、▲３▼から▲５▼へ重畳する電流が増えるに従い測定可能な距離が近距離になるが、ばらつきによる距離の逆転現象は発生しない。この様な特性は、ＩＲＥＤ１の発光のばらつき、ＰＳＤ３の受光感度のばらつき、ＡＦ工Ｃ６のノイズレベルやカメラ内部の他の回路で発生するノイズ等に左右され、カメラ毎に異なるため、このような特性はカメラ作込み工程の中で判明する。従って、カメラの製造工程でどのレベルを選択するかを決定しこれをカメラごとに記憶させておく必要がある。図１に示すクランプレベル記憶回路２２はこれを記憶する回路である。
　【００１５】
　実際の写真を撮影する際には、ＣＰＵ２０により測距開始前にクランプレベル記憶回路２２からクランプレベルを決める条件が読込まれ、それが、２ビットクランプレベル指定回路２１に送出され図３の▲２▼に示す特性になることを防止している。
　【００１６】
　上記実施例ではシングルビームについて説明したが、マルチビームのカメラに適用してもよい。マルチビームのカメラに適用するときはＩＲＥＤの発光出力がビーム毎に異なるためクランプレベルを例えばＥＥＰＲＯＭに記憶するよう構成してもよい。
　【００１７】
　更に、受光素子のノイズレベルは受光素子の受ける光量の大きさによって変化するため被写体輝度が高くなると、遠距離の場合と同様にばらつきが増加する。この様な場合に対応するため、被写体輝度によりクランプレベルを変化させることができるプログラムをＣＰＵに内蔵しておけば、カメラ撮影時に被写体輝度を測定し、そのあとで、クランプレベルを設定し測距すれば遠距離でのばらつきを減少することができる。なお明るい場合は絞りも大きく絞ることになるので被写体深度が深くなり、遠距離側は測定誤差が少ないのでクランプレベルによる補正を省略しても実用上差支えない。
　【００１８】
　【発明の効果】
　補正データを記憶する補正データ記憶回路を設けることにより、クランプレベルを自由に選択し、かつ、ＩＣ外のクランプ電流設定用抵抗を削減できる。
　【００１９】
　この、クランプレベルによるカメラの特性補正技術を適用すれば、ＩＣ製造時の種々の要因によるカメラの特性のばらつきを補正でき、カメラの特性のばらつきを補正することでカメラの品質を一定化できる。また、ＩＣのばらつきが補正できるのでＩＣの歩留りを向上し、コストを削減できる。また、マルチビームの場合ビーム毎にクランプレベルを設定し直すことができるので最適条件で使用できる。また、被写体が高輝度の時も測距のばらつきを抑制できる。
【図面の簡単な説明】
　【図１】
　本発明のカメラ用測距装置の一実施例を示す構成図
　【図２】
　本発明のカメラ用測距装置の一実施例を示すブロック図
　【図３】
　本発明のカメラ用測距装置の特性図
　【図４】
　従来のカメラ用測距装置のブロック図
　【符号の説明】
　３　ＰＳＤ（受光素子）
　８　ＡＦ信号出力用差動増幅器（差動演算手段）
　９　クランプレベル設定回路（段階的補正電流生成手段）
　２０　ＣＰＵ（制御手段）
　２１　２ビットクランプレベル指定回路（補正電流指定手段）
　２２　クランプレベル記憶回路（補正データ記憶手段）